(57)【要約】【課題】着信メロディ等の音楽データを製作する側が作った既存のデータを顧客それぞれの希望に応じて設定をカスタマイズし、コピープロテクト情報を付けたまま携帯無線電話端末等のデータを受信する端末にダウンロードさせる方法を得る。【解決手段】着信メロディ等の音楽データをサーバで音符、音量、テンポ等に分解し、顧客にそれぞれについてカスタマイズしてもらい、サーバにいったん保存していき、最後にサーバでそれぞれのデータを結合させ、コピープロテクト情報を加えて１つのファイルを作り、そのデータを顧客の携帯無線電話端末等のデータを受信する端末でダウンロードしてもらう。これにより著作権の保護を実現しつつファイルを書き換えて、顧客それぞれの希望通りの着信メロディ等の音楽データを提供することができる。【選択図】　　　　　　　　図１
2004145236.tif 000002
【特許請求の範囲】
【請求項１】
携帯（電話機）及びＰＨＳ（電話機）等のデータを受信できる端末等を使用してダウンロードする着信メロディ等の音楽データを顧客の好きなようにカスタマイズする工程と、カスタマイズされた着信メロディ等の音楽データを作成する工程とを有し、顧客それぞれがカスタマイズした着信メロディ等の音楽データをダウンロードできるということを特徴とする着信メロディ等の音楽データの配信サービス方法及び着信メロディ等の音楽データの配信サービスシステム。
【請求項２】
前記のカスタマイズは、既存のデータをＨＴＭＬ、ＪＡＶＡ、ＰＨＰ、ＣＧＩ等を使い顧客の希望の曲のフレーズにデータをカットし、着信メロディ等の音楽データの音量、テンポ記録部分に顧客の好きな値に変更することを特徴とする請求項１記載の着信メロディ等の音楽データの配信サービス方法。
【請求項３】
前記のカスタマイズしたデータの生成させる方法は、既存のデータを一時的に音量部分、テンポ記録部分、希望の曲のフレーズにデータ部分等に分割し、それぞれのデータを編集し、最終的に結合させ１つのファイルに生成する着信メロディ等の音楽データの配信サービス方法。
【請求項４】
携帯（電話機）及びＰＨＳ（電話機）等を使用してダウンロードする着信メロディ等の音楽データを顧客の好きなようにカスタマイズし、決定したのちダウンロードさせる着信メロディ等の音楽データの配信サービスシステム。
【発明の詳細な説明】
【０００１】
【発明の属する技術分野】
本発明は、インターネット等を介して利用する携帯電話機等の通信端末装置、サーバ装置、並びに記憶媒体を利用した着信メロディ等の音楽データの配信サービス方法及び着信メロディ等の音楽データの配信サービスシステムに関する。例えば、好みのフレーズ、音量、テンポの着信メロディデータのダウンロードを可能にする着信メロディ等の音楽データの配信サービス方法及び着信メロディ等の音楽データの配信サービスシステムに関する。
【０００２】
【従来の技術】
従来、サーバ装置が提供する着信メロディ等の音楽データの一般的な配信方法は音楽データを製作する側が曲のテンポ・音量・音楽データにする曲のフレーズ等を設定し、著作権保護のため変更をできないように設定しており顧客が自由に設定を変更することが不可能である。もし顧客がダウンロードされた着信メロディ等の音楽データの設定を変更するには音楽データを製作する側が著作権保護の設定をせず設定を変更できるようにするという方法、あるいは顧客がパソコン等音楽データ製作ツールを使い新たに一から音楽データを製作するという方法で変更する。
【０００３】
本発明と技術分野の類似する先願発明例として特開２００２−２０７４８９号公報の「着メロサービス方法および着メロサービスシステム」がある。この「着メロサービス方法および着メロサービスシステム」では、曲によって決まった部分のフレーズしか着メロとしてダウンロードできないという課題の解決を図っている。この目的のために顧客がパソコン等音楽データ製作ツールを使いＣＤやＭＤのデータを読み取り編集するとしている。
【０００４】
【発明が解決しようとする課題】
しかしながら、従来の顧客がダウンロードされた着信メロディ等の音楽データの設定を変更する方法では問題がある。音楽データを製作する側が著作権保護の設定をしない場合はコピー等もできるようになってしまうため著作権の保護ができなくなってしまう。また顧客がパソコン等音楽データ製作ツールを使い新たに一から音楽データを作る場合はそのためのソフトを必要とし、目的の楽曲の楽譜を所有しているあるいは絶対音感を所有しているなど非常に特定少数の人間に限定されてしまう。
【０００５】
制作者側が著作権を守りたいと思うのは当然であり、守るべきもので実際に前者の方法を使用するのは難しい。また後者の方法では前述した通り手間のかかる作業となる。
【０００６】
本発明は、著作権を守りつつ、顧客が手軽に曲のテンポ・音量・音楽データにする曲のフレーズ等の設定を容易にする着信メロディ等の楽音データの配信サービスを提供することを目的とする。
【０００７】
【課題を解決するための手段】
上記目的を達成するために請求項１記載の発明は、サーバ上で顧客それぞれの好みに合わせてデータをカスタマイズすることによりコピープロテクトを付けた状態で配信することができることを特徴としたものである。
【０００８】
請求項２の発明は、あらかじめ音楽データを製作する側が作った既存のデータを配信するサーバでカスタマイズし、顧客それぞれのための音楽データを作ることを特徴としたものである。
【０００９】
請求項３の発明は、あらかじめ音楽データを製作する側が作った既存のデータを一時的に音量部分、テンポ記録部分、希望の曲のフレーズにデータ部分等それぞれの記録データごとに分割し、それぞれのデータを編集し、編集したデータを最終的に結合させ１つのファイルに生成することを特徴としたものである。
【００１０】
請求項４の発明は、請求項１乃至３の発明を利用してデータを生成し、携帯（電話機）及びＰＨＳ（電話機）等を使用してダウンロードすることを特徴としたものである。
【００１１】
【発明の実施の形態】
（実施例）図１は、本発明による携帯無線電話端末等のデータを受信する端末への着信メロディ等の音楽データの配信サービスシステムの構成図で、図中、１は携帯無線電話端末等のデータを受信する端末、２は無線端末基地、３は公衆通信回線網、４はサーバ、サーバ４には、あらかじめ音楽データを製作する側が作った着信メロディ等の音楽データが保持されている。また、コンテンツサーバ４には曲リストや着信メロディ等の音楽データ等のデータをインターネットや公衆回線網等を経由させて送信するＷｅｂサーバとしての機能も持つ。
【００１２】
本発明では、顧客が携帯無線電話端末等のデータを受信する端末１で着信メロディ等の音楽データを製作する側が作ったインターネット上の着メロ配信サイトにアクセスした時に、サーバ４は、まず着信メロディ等の音楽データを製作する側が作ったＷｅｂページを表示する。そして、顧客は従来通りの手段でダウンロードしたい曲を選曲する。
【００１３】
その情報をサーバ４に通知し、サーバ４は通知された情報を基に選曲された楽曲に相当する着信メロディ等の音楽データの一音、一字毎に数字を割振った楽譜や歌詞の情報を送信する。その送信された情報を基に携帯無線電話端末等のデータを受信する端末１はその情報を表示する。
【００１４】
顧客は携帯無線電話端末等のデータを受信する端末１を使い、自分がほしい曲のフレーズの番号を指定し、サーバ４にその番号情報を送信する。
【００１５】
または、携帯無線電話端末等のデータを受信する端末１がＪＡＶＡ等の機能を搭載している場合はサーバ４がＪＡＶＡ等を使い保存不可能なデータとして着信メロディ等の音楽データを送信する。
【００１６】
そして、携帯無線電話端末等のデータを受信する端末１が着信メロディ等の音楽データを再生する。そして、顧客はそれを聞きながら自分がほしい曲のフレーズの先頭部分と終了部分が来たらボタンを押す。そして、携帯無線電話端末等のデータを受信する端末１がそのボタンが押された場所の一音、一字毎に割振られた番号情報をサーバ４に送信する。
【００１７】
サーバ４は
【００１４】や
【００１６】で、携帯無線電話端末等のデータを受信する端末１から送られて来た番号情報を基に、サーバ４上にある、あらかじめ音楽データを製作する側が作った既存のデータの該当部分を読み込み顧客の希望の曲のフレーズのデータとして一時保存する。
【００１８】
次に、サーバ４が、
【００１７】で一時保存したデータの容量を調べ、携帯無線電話端末等のデータを受信する端末１が受信することができる許容量を超えていた場合、携帯無線電話端末等のデータを受信する端末１にその皆を知らせる情報を送信し、携帯無線電話端末等のデータを受信する端末１はその皆を知らせる
情報を表示し、
【００１３】または
【００１５】に戻ってやり直す。
【００１７】で一時保存したデータの容量が許容量の場合は
【００１９】に進む。
【００１９】
次に、サーバ４はあらかじめ音楽データを製作する側が作った既存のデータを１００％として音量を指定する画面を送信し、携帯無線電話端末等のデータを受信する端末１は画面を表示します。
【００２０】
顧客は、携帯無線電話端末等のデータを受信する端末１を使い、音量を大きめにしたい時は１００％より大きい数字を入力、また、小さめにしたい時は１００％より小さい数字を入力、そのままで良い場合は１００％と入力しサーバ４に送信する。
【００２１】
前記の方法はあらかじめ音量を大きめ、小さめの時の値を指定しておき、大、中、小として表示し、顧客が選択し、送信する方法でも良い。
【００２２】
そして、サーバ４は、あらかじめ音楽データを製作する側が作った既存のデー
タの音量記録部分を読み込み、
【００２０】や
【００２１】で送信された情報を基に変更し、音量のデータとして一時保存する。
【００２３】
次に、サーバ４は、あらかじめ音楽データを製作する側が作った既存のデータのテンポ情報を携帯無線電話端末等のデータを受信する端末１に送信し、携帯無線電話端末等のデータを受信する端末１は音楽のテンポの表記の仕方に従い、表示する。
【００２４】
顧客は携帯無線電話端末等のデータを受信する端末１に表示されたテンポの表示を見て、携帯無線電話端末等のデータを受信する端末１を使い、速いテンポが良い時は表示された数字よりも大きい数字を、遅いテンポが良い時は表示された数字よりも小さい数字を、そのままで良い時はそのままの数字を入力し、送信する。
【００２５】
そして、サーバ４は、あらかじめ音楽データを製作する側が作った既存のデー
タのテンポ記録部分を読み込み、
【００２４】で送信された情報を基に変更し、テンポのデータとして一時保存する。
【００２６】
次に、サーバ４はあらかじめ音楽データを製作する側が作った既存のデータの著作権情報部分等のカスタマイズに使っていない部分のデータを読み込み、その他のデータとして一時保存する。なお、これはあらかじめサーバ４に保存させておいても良い。
【００２７】
次に、サーバ４は
【００１７】、
【００２２】、
【００２５】、
【００２６】で一時保存したデータを結合させ１つのファイルを作り、サーバ４に保存する。
【００２８】
次に、サーバ４は
【００２７】で作ったファイルのＵＲＬの情報を携帯無線電話端末等のデータを受信する端末１に送信し、携帯無線電話端末等のデータを受信する端末１がダウンロードを開始する。
【００２９】
そして、顧客は目的を達成した着信メロディ等の音楽データを携帯無線電話端末等のデータを受信する端末１に演奏させることができる。
【００３０】
携帯無線電話端末等のデータを受信する端末１とサーバ４の情報は、無線端末基地２、公衆通信回線網３を経由してやりとりされる。また、携帯無線電話端末等のデータを受信する端末１が無線でない場合は、無線端末基地２は不要である。
【００３１】
なお、顧客が曲のフレーズ、音量、テンポ等を決定する順番は自由に変更ができる。または同時でも良い。
【００３２】
また、顧客が好きなようにカスタマイズする方法は、使用するサーバや携帯（電話機）及びＰＨＳ（電話機）等の性能等により変化する。
【００３３】
前記の手段では、携帯電話機やＰＨＳ電話機等の電話機を使って顧客の好きなように着信メロディをカスタマイズし、コピープロテクションを付けた状態で顧客の携帯無線電話端末等のデータを受信する端末にダウンロードさせることができ、顧客の満足度を向上させることができる。
【００３４】
前記の手段は、現地点で考えられる最良の手段の１つであり、今後通信機器やサーバ等の性能や機能等の向上によりより良い手段が生まれる可能性がある。
【００３５】
【発明の効果】
請求項１〜４の発明においては、あらかじめ音楽データを製作する側が作った既存のデータを顧客が気軽にそれぞれの希望にあった設定にカスタマイズし、コピーガードを付けた状態で顧客の携帯（電話機）及びＰＨＳ（電話機）等のデータを受信できる端末等へ送信することができる。そのため、音楽著作権の保護ができつつ、顧客の満足度の向上を図ることができる。また、他との差別化・識別化を図ることができる。
【００３６】
【図面の簡単な説明】
【図１】本発明による−ザ−によるカスタマイズが可能な着信メロディ等の音楽データの配信サービス方法及び着信メロディ等の音楽データの配信サービスシステムの一実施例を説明するための構成図である。
【符号の説明】
１…携帯無線電話端末等のデータを受信する端末、２…無線端末基地、３…公衆通信回線網、４…サーバ。
【図１】
2004145236.tif 000003